(57)【要約】【課題】エレベータの設置環境や使用状態に応じて随時窓ガラスを清掃することができるエレベータの窓ガラス清掃装置を得る。【解決手段】エレベータドアに設けられた窓ガラスを清掃するエレベータの窓ガラス清掃装置であって、エレベータドアの清掃面において、窓ガラスの外側に、互いに平行に設けられた２本のレールと、レールに沿って移動し、窓ガラスを清掃する清掃部と、エレベータドアの清掃面とは反対側の面に取り付けられ、清掃部を移動させる持ち手部と、を備え、清掃部および持ち手部の少なくとも一方に磁石が設けられ、清掃部と持ち手部とは、磁力によって吸引される。【選択図】図１
2016172635.tif 000002
【特許請求の範囲】
【請求項１】
エレベータドアに設けられた窓ガラスを清掃するエレベータの窓ガラス清掃装置であって、
前記エレベータドアの清掃面において、前記窓ガラスの外側に、互いに平行に設けられた２本のレールと、
前記レールに沿って移動し、前記窓ガラスを清掃する清掃部と、
前記エレベータドアの前記清掃面とは反対側の面に取り付けられ、前記清掃部を移動させる持ち手部と、を備え、
前記清掃部および前記持ち手部の少なくとも一方に磁石が設けられ、
前記清掃部と前記持ち手部とは、磁力によって吸引される
エレベータの窓ガラス清掃装置。
【請求項２】
前記レールは、磁性体で形成され、
前記清掃部は、磁力によって前記レールに保持される磁石を有し、
前記持ち手部は、前記清掃部の磁石と対向する位置に配置され、前記清掃部の磁石よりも磁力の強い磁石を有する
請求項１に記載のエレベータの窓ガラス清掃装置。
【請求項３】
前記清掃部は、１本の前記レールに対して、複数個の磁石を有する
請求項２に記載のエレベータの窓ガラス清掃装置。
【請求項４】
前記清掃部は、前記エレベータドアと当接する部分に磁性体を有し、
前記持ち手部は、前記清掃部の磁性体と対向する位置に配置された磁石を有する
請求項１に記載のエレベータの窓ガラス清掃装置。
【請求項５】
前記清掃部は、
前記窓ガラスに当接する清掃具と、
前記清掃具の両側に配置され、前記レールに沿って移動する円柱形状のローラと、
前記清掃具および前記ローラを回転可能に指示する軸と、
を有する請求項１から請求項４までの何れか１項に記載のエレベータの窓ガラス清掃装置。
【請求項６】
前記清掃部は、
窓ガラスに当接する円柱形状の清掃具と、
前記清掃具の両側に配置され、前記レールに沿って移動する円柱形状のローラと、
前記清掃具および前記ローラを回転可能に指示する軸と、を有し、
前記清掃具と前記ローラとは、同軸逆回転伝動により、互いに逆方向に回転する
請求項１から請求項４までの何れか１項に記載のエレベータの窓ガラス清掃装置。
【請求項７】
前記エレベータドアの清掃面において、前記窓ガラスの下部に設けられたごみ受けをさらに備えた
請求項１から請求項６までの何れか１項に記載のエレベータの窓ガラス清掃装置。
【請求項８】
前記エレベータドアの清掃面において、前記窓ガラスの下部に設けられた液体ケースをさらに備えた
請求項１から請求項６までの何れか１項に記載のエレベータの窓ガラス清掃装置。
【請求項９】
前記液体ケースは、前記清掃部に押下されることで開き、通常時は閉じている蓋部を有している
請求項８に記載のエレベータの窓ガラス清掃装置。
【発明の詳細な説明】
【技術分野】
【０００１】
この発明は、乗場ドアまたはかごドアに設けられた窓ガラスを清掃するエレベータの窓ガラス清掃装置に関する。
【背景技術】
【０００２】
従来から、乗場ドアまたはかごドアに窓ガラスが設けられたエレベータが知られている。ここで、エレベータの設置環境や使用状態に応じて随時窓ガラスを清掃することが好ましいが、窓ガラスの裏面（乗場ドアのかご側の面およびかごドアの乗場側の面）は、エレベータが設置された建物の管理人や清掃人では、清掃することが困難である。
【０００３】
そこで、乗場ドアのビジョンガラス（窓ガラス）清掃時、保守員が、乗かご内のドア下端から乗場側へ、はけ部を備えた清掃具を突出させ、乗かごの昇降に応じて清掃具を窓ガラスの裏面に当接させることで、窓ガラスを清掃するエレベータのビジョンガラス清掃装置が提案されている（例えば、特許文献１参照）。
【先行技術文献】
【特許文献】
【０００４】
【特許文献１】特開２００２−２４１０７１号公報
【発明の概要】
【発明が解決しようとする課題】
【０００５】
しかしながら、従来技術には、以下のような課題がある。
すなわち、特許文献１のエレベータのビジョンガラス清掃装置では、保守員が窓ガラスを清掃するので、例えば１ヶ月に１回や３ヶ月に１回といったエレベータの点検の周期で窓ガラスが清掃されることになる。そのため、エレベータの設置環境や使用状態に応じて随時窓ガラスを清掃することができないという問題がある。
【０００６】
この発明は、上記のような課題を解決するためになされたものであり、エレベータの設置環境や使用状態に応じて随時窓ガラスを清掃することができるエレベータの窓ガラス清掃装置を得ることを目的とする。
【課題を解決するための手段】
【０００７】
この発明に係るエレベータの窓ガラス清掃装置は、エレベータドアに設けられた窓ガラスを清掃するエレベータの窓ガラス清掃装置であって、エレベータドアの清掃面において、窓ガラスの外側に、互いに平行に設けられた２本のレールと、レールに沿って移動し、窓ガラスを清掃する清掃部と、エレベータドアの清掃面とは反対側の面に取り付けられ、清掃部を移動させる持ち手部と、を備え、清掃部および持ち手部の少なくとも一方に磁石が設けられ、清掃部と持ち手部とは、磁力によって吸引されるものである。
【発明の効果】
【０００８】
この発明に係るエレベータの窓ガラス清掃装置によれば、エレベータドアの清掃面である窓ガラスの裏面（乗場ドアのかご側の面およびかごドアの乗場側の面）に設けられたレールに沿って移動し、窓ガラスを清掃する清掃部と、清掃面の反対面に取り付けられる持ち手部と、を備え、清掃部および持ち手部の少なくとも一方に磁石が設けられ、清掃部と持ち手部とは、磁力によって吸引される。
これにより、エレベータが設置された建物の管理人や清掃人が、乗場またはかご内から窓ガラスの表面に持ち手部を取り付けて清掃部を移動させることにより、窓ガラスを清掃することができる。そのため、エレベータの設置環境や使用状態に応じて随時窓ガラスを清掃することができる。
【図面の簡単な説明】
【０００９】
【図１】この発明の実施の形態１に係るエレベータの窓ガラス清掃装置を、窓ガラスの裏面側から見た構成図である。
【図２】この発明の実施の形態１に係るエレベータの窓ガラス清掃装置を、窓ガラスの表面側から見た構成図である。
【図３】この発明の実施の形態１に係るエレベータの窓ガラス清掃装置の清掃部を示す拡大図である。
【図４】この発明の実施の形態１に係るエレベータの窓ガラス清掃装置の持ち手部を示す拡大図である。
【図５】この発明の実施の形態１に係るエレベータの窓ガラス清掃装置を示す断面図である。
【図６】この発明の実施の形態１に係るエレベータの窓ガラス清掃装置の別の清掃部を示す拡大図である。
【図７】この発明の実施の形態１に係るエレベータの窓ガラス清掃装置のさらに別の清掃部を示す拡大図である。
【図８】この発明の実施の形態１に係るエレベータの窓ガラス清掃装置のさらに別の清掃部を、レールとともに示す拡大断面図である。
【図９】この発明の実施の形態１に係る別のエレベータの窓ガラス清掃装置を示す断面図である。
【図１０】この発明の実施の形態１に係るさらに別のエレベータの窓ガラス清掃装置を示す断面図である。
【図１１】この発明の実施の形態２に係るエレベータの窓ガラス清掃装置を、窓ガラスの裏面側から見た構成図である。
【発明を実施するための形態】
【００１０】
以下、この発明に係るエレベータの窓ガラス清掃装置の好適な実施の形態につき図面を用いて説明するが、各図において同一、または相当する部分については、同一符号を付して説明する。
【００１１】
なお、この発明の各実施の形態において、エレベータの窓ガラス清掃装置（以下、単に「窓ガラス清掃装置」とも称する）は、エレベータドアに設けられた窓ガラスを清掃するものである。また、この窓ガラス清掃装置は、乗場ドアおよびかごドアの何れにも適用することができる。
【００１２】
実施の形態１．
図１は、この発明の実施の形態１に係るエレベータの窓ガラス清掃装置を、窓ガラスの裏面側から見た構成図である。また、図２は、この発明の実施の形態１に係るエレベータの窓ガラス清掃装置を、窓ガラスの表面側から見た構成図である。
【００１３】
図１において、この窓ガラス清掃装置は、エレベータドア１の清掃面である窓ガラス２の裏面で、窓ガラス２の外側に、互いに平行に設けられた２本のレール３と、レール３に沿って移動し、窓ガラス２を清掃する清掃部４とを備えている。ここで、レール３は、例えば鉄等の磁性体で形成され、エレベータドア１に貼り付けられている。また、レール３は、窓ガラス２の上下端よりも長くなっている。
【００１４】
また、図２において、この窓ガラス清掃装置は、エレベータドア１の清掃面とは反対側の面である窓ガラス２の表面に取り付けられ、窓ガラス２の表面から清掃部４を移動させる持ち手部５を備えている。
【００１５】
図３は、この発明の実施の形態１に係るエレベータの窓ガラス清掃装置の清掃部を示す拡大図である。図３において、清掃部４は、窓ガラス２に当接する清掃具であるスポンジ４１と、スポンジ４１の両端側にスポンジ４１と一体的に設けられた２個の円柱形状の磁石４２とから構成されている。ここで、清掃部４は、磁石４２の磁力によりレール３に保持されている。
【００１６】
図４は、この発明の実施の形態１に係るエレベータの窓ガラス清掃装置の持ち手部を示す拡大図である。図４において、持ち手部５は、清掃部４の磁石４２と対向する位置に配置された２個の円柱形状の磁石５１と、磁石５１を繋ぐバー５２とから構成されている。ここで、磁石５１は、清掃部４の磁石４２を吸引する向きに配置され、清掃部４の磁石４２よりも磁力が強いものが用いられている。また、磁石５１のエレベータドア１側の面にフェルト等を貼り付けることにより、エレベータドア１の意匠面に傷が付くことを防止することができる。なお、磁石４２、５１の形状は、円柱形状に限定されず、角型や他の形状であってもよい。
【００１７】
以下、図５を参照しながら、上記構造の窓ガラス清掃装置の動作について説明する。図５は、この発明の実施の形態１に係るエレベータの窓ガラス清掃装置を示す断面図である。図５において、通常時には、持ち手部５は取り付けられておらず、清掃部４は、窓ガラス２の表面側から見えない位置に保持されている。
【００１８】
また、図５において、清掃時には、エレベータが設置された建物の管理人や清掃人等の清掃者が、乗場またはかご内から窓ガラス２の表面に持ち手部５を取り付け、清掃部４を上下に移動させることにより、窓ガラス２を清掃する。このとき、持ち手部５の磁石５１の磁力の方が、清掃部４の磁石４２の磁力よりも強いので、清掃部４は、持ち手部５に吸引され、持ち手部５の動きに伴って移動される。
【００１９】
以上のように、実施の形態１によれば、窓ガラスの裏面であるエレベータドアの清掃面に設けられたレールに沿って移動し、窓ガラスを清掃する清掃部と、清掃面の反対面に取り付けられる持ち手部との少なくとも一方に磁石が設けられ、清掃部と持ち手部とは、磁力によって吸引される。
ここで、レールは、磁性体で形成され、清掃部は、磁力によってレールに保持される磁石を有し、持ち手部は、清掃部の磁石と対向する位置に配置され、清掃部の磁石よりも磁力の強い磁石を有している。
これにより、エレベータが設置された建物の管理人や清掃人が、乗場またはかご内から持ち手部を取り付けて清掃部を移動させることにより、窓ガラスを清掃することができる。そのため、エレベータの設置環境や使用状態に応じて随時窓ガラスを清掃することができる。
【００２０】
なお、上記実施の形態１では、清掃部４がスポンジ４１の両端側に設けられた２個の磁石４２を有していると説明したが、清掃部４は、図６に示されるように、１本のレール３に対して、２個の磁石４２を有していてもよい。この場合には、持ち手部５を用いて窓ガラス２の表面から清掃部４を移動させる際に、清掃部４が傾くことを防止して、レール３に対して垂直な状態を保ち、直進性を向上させることができる。
【００２１】
また、上記実施の形態１では、レール３の形状について特に言及しなかったが、レール３に磁石４２をガイドするための凹凸を設けたり、レール３の縁部分を立てたりしてもよい。この場合にも、持ち手部５を用いて窓ガラス２の表面から清掃部４を移動させる際に、清掃部４が傾くことを防止して、レール３に対して垂直な状態を保ち、直進性を向上させることができる。
【００２２】
また、上記実施の形態１では、清掃部４が、図４に示されたように、窓ガラス２に当接するスポンジ４１と、スポンジ４１の両端側にスポンジ４１と一体的に設けられた２個の円柱形状の磁石４２とから構成されていると説明した。しかしながら、これに限定されず、図４に示した清掃部４に代えて、図７に示されるような清掃部４Ａを用いてもよい。
【００２３】
図７は、この発明の実施の形態１に係るエレベータの窓ガラス清掃装置のさらに別の清掃部を示す拡大図である。図７において、清掃部４Ａは、窓ガラス２に当接するスポンジ４３と、スポンジ４３の両側に配置され、レールに沿って移動する円柱形状のローラ４４とが、軸４５に対して回転可能に設けられて構成されている。なお、ローラ４４は、１本のレールに対して複数個設けられてもよい。
【００２４】
ここで、ローラ４４は、磁石または周方向に磁石シートが巻かれた非磁性体により形成されている。また、図８に示されるように、レール３Ａは、軸４５を支持し、清掃部４Ａをガイドする構成を有している。この場合にも、持ち手部５を用いて窓ガラス２の表面から清掃部４Ａを移動させる際に、清掃部４Ａが傾くことを防止して、レール３Ａに対して垂直な状態を保ち、直進性を向上させることができる。
【００２５】
また、図７では、清掃部４Ａが、窓ガラス２に当接するスポンジ４３を有していると説明したが、これに限定されず、スポンジは、ローラ４４と同様に円柱形状を有しており、同軸逆回転伝動等により、ローラ４４の回転方向と逆方向に回転してもよい。この場合には、窓ガラス２に対する清掃力を向上させることができる。なお、ギア等を組み合わせて、スポンジを常に上向きに回転させることにより、昇降路にほこり等のごみが落ちることを防止することができる。
【００２６】
また、上記実施の形態１において、図９に示されるように、エレベータドア１の清掃面で、窓ガラス２の下部にごみ受け６を設けてもよい。この場合には、清掃部４が窓ガラス２を清掃する際に発生するごみを受け、昇降路にごみが落ちることを防止することができる。
【００２７】
また、上記実施の形態１において、図１０に示されるように、エレベータドア１の清掃面で、窓ガラス２の下部に水や洗剤をためておく液体ケース７を設けてもよい。また、液体ケース７は、ばね付のヒンジ等で構成され、清掃部４に押下されることで開き、通常時は閉じている蓋部８を有している。この場合には、スポンジ４１が濡れた状態で窓ガラス２を清掃することができるので、窓ガラス２に対する清掃力を向上させることができるとともに、蓋部８により、水や洗剤が乾燥することを防止することができる。
【００２８】
実施の形態２．
図１１は、この発明の実施の形態２に係るエレベータの窓ガラス清掃装置を、窓ガラスの裏面側から見た構成図である。図１１において、この窓ガラス清掃装置は、エレベータドア１の清掃面である窓ガラス２の裏面で、窓ガラス２の外側に、互いに平行に設けられた２本のレール３と、レール３に沿って移動し、窓ガラス２を清掃する清掃部４Ｂとを備えている。
【００２９】
ここで、清掃部４Ｂは、レール３の上部に設けられた吊ケース９に、チェーン１０を介して吊り下げられている。また、この吊ケース９は、図示しないスプリングによって、チェーン１０を常時上方向に引っ張っている。また、清掃部４Ｂは、鉄等の磁性体で形成された外枠に、スポンジとスポンジの両側に配置されたローラとが収納された構成を有している。なお、スポンジおよびローラは、上記実施の形態１で示したものと同様の形態を有していればよい。
【００３０】
また、吊ケース９の下部には、清掃部４Ｂを保持する磁石１１が設けられている。また、窓ガラス２の表面に取り付けられる持ち手部５は、吊ケース９に設けられた磁石１１よりも磁力が強い磁石５１を用いるものであって、上記実施の形態１で示したものと同様の形態を有していればよい。
【００３１】
上記構成の窓ガラス清掃装置において、清掃時には、エレベータが設置された建物の管理人や清掃人等の清掃者が、乗場またはかご内から窓ガラス２の表面に持ち手部５を取り付け、清掃部４Ｂを上下に移動させることにより、窓ガラス２を清掃する。また、清掃が終了し、清掃者が持ち手部５を外すと、スプリングの作用により清掃部４Ｂが吊ケース９側に引き寄せられ、磁石１１に保持される。
【００３２】
以上のように、実施の形態２によれば、窓ガラスの裏面であるエレベータドアの清掃面に設けられたレールに沿って移動し、窓ガラスを清掃する清掃部と、清掃面の反対面に取り付けられる持ち手部との少なくとも一方に磁石が設けられ、清掃部と持ち手部とは、磁力によって吸引される。
ここで、清掃部は、エレベータドアと当接する部分に磁性体を有し、持ち手部は、清掃部の磁性体と対向する位置に配置された磁石を有している。
これにより、エレベータが設置された建物の管理人や清掃人が、乗場またはかご内から持ち手部を取り付けて清掃部を移動させることにより、窓ガラスを清掃することができる。そのため、エレベータの設置環境や使用状態に応じて随時窓ガラスを清掃することができる。
【００３３】
なお、上記実施の形態１、２では、レールが垂直方向に設けられる場合について説明したが、これに限定されず、レールは、水平方向に設けられてもよい。また、レールや外枠の材質は、鉄に限定されず、磁性体であればよい。また、清掃具は、スポンジに限定されず、ブラシや布を用いてもよい。
【符号の説明】
【００３４】
１  エレベータドア、２  窓ガラス、３、３Ａ  レール、４、４Ａ、４Ｂ  清掃部、５  持ち手部、６  ごみ受け、７  液体ケース、８  蓋部、９  吊ケース、１０  チェーン、１１  磁石、４１  スポンジ、４２  磁石、４３  スポンジ、４４  ローラ、４５  軸、５１  磁石、５２  バー。
【図１】
2016172635.tif 000003
【図２】
2016172635.tif 000004
【図３】
2016172635.tif 000005
【図４】
2016172635.tif 000006
【図５】
2016172635.tif 000007
【図６】
2016172635.tif 000008
【図７】
2016172635.tif 000009
【図８】
2016172635.tif 000010
【図９】
2016172635.tif 000011
【図１０】
2016172635.tif 000012
【図１１】
2016172635.tif 000013